(57)【要約】【課題】  乗りかご内部にアナウンスを行うアナウンス装置の音量調節を誰もが容易に行えるようにしたエレベータを提供する。【解決手段】  乗りかご１の上面には、乗りかごの運行状況やその場の状況等に応じたアナウンスを乗りかご内部に行うアナウンス装置３が設置されている。かご内操作盤２で所定の操作入力を行うことにより、エレベータ制御盤４がアナウンス装置３の音量を所定のレベルに調節する。【選択図】      図１
2005255402.tif 000002
【特許請求の範囲】
【請求項１】
乗りかごと、この乗りかごの運行状況やその場の状況等に応じたアナウンスを前記乗りかご内部に行うアナウンス装置と、前記乗りかご内部に設けられたかご内操作盤と、このかご内操作盤で所定の操作入力がなされると前記アナウンス装置の音量を調節する制御装置と、を具備することを特徴とするエレベータ。
【請求項２】
前記かご内操作盤における乗りかご操作用のボタンが、前記アナウンス装置の音量の調節を行うための操作ボタンを兼ねることを特徴とする請求項１記載のエレベータ。
【請求項３】
前記かご内操作盤が表示装置を具備し、この表示装置に前記アナウンス装置の音量状態が表示されるようにしたことを特徴とする請求項１又は請求項２記載のエレベータ。
【発明の詳細な説明】
【技術分野】
【０００１】
本発明は、乗りかごの運行状況やその場の状況等に応じたアナウンスを乗りかご内部に行うアナウンス装置を具備するエレベータに関する。
【背景技術】
【０００２】
最近、乗りかごの運行状況やその場の状況等に応じたアナウンスを乗りかご内部に行って乗客をガイドする機能を有するエレベータが用いられるようになってきている。
【０００３】
この種のエレベータでは、その設置場所等の状況や、アナウンス装置の性能のばらつき等により、乗客の耳に聞こえるアナウンスの音声に差が生じるため、アナウンスの音量を調節する必要が生じる。
【０００４】
このような場合、通常、アナウンス装置はエレベータの機械室や乗りかごの上に設置されているため、エレベータの保守点検を行う作業員が音量調節を行っていた。
【発明の開示】
【発明が解決しようとする課題】
【０００５】
このように、従来のエレベータでは、アナウンス装置の音量調節の度に保守作業員を必要とするため、手軽に音量調節を行うことができなかった。
【０００６】
また、保守作業員が音量調節を行うときには、音量調節が必要とされた時からエレベータの状況が変化して音量の加減が分からなかったり、せっかく調節しても再調節が必要となる場合が生じて何度も調節しなければならない等の手間がかかることがあった。
【０００７】
本発明は上記問題点に鑑みてなされたものであり、その目的は、乗りかご内部にアナウンスを行うアナウンス装置の音量調節を誰もが容易に行えるようにしたエレベータを提供することにある。
【課題を解決するための手段】
【０００８】
本発明のエレベータは、乗りかごと、この乗りかごの運行状況やその場の状況等に応じたアナウンスを乗りかご内部に行うアナウンス装置と、乗りかご内部に設けられたかご内操作盤と、このかご内操作盤で所定の操作入力がなされるとアナウンス装置の音量を調節する制御装置と、を具備することを特徴としている。
【発明の効果】
【０００９】
本発明のエレベータは、かご内操作盤を操作することによりアナウンス装置の音量調節を行うことができるため、保守点検を行う作業員だけでなく、ビルの管理人や乗客等が手軽に音量調節を行うことができる。また、音量調節が必要とされた状態で音量調節を行うことができるため、適切な音量調節が可能となり、何度も調節する必要が無くなるので音量調節に要する手間を低減することができる。
【発明を実施するための最良の形態】
【００１０】
以下、本発明の一実施形態を図面に基づいて説明する。図１は本発明の一実施形態であるエレベータの概略構成図、図２はかご内操作盤の拡大正面図である。
【００１１】
図１において、１は乗りかごであり、その内部にはかご内操作盤２が設けられている。また、乗りかご１の上面には、乗りかご１内部にアナウンスを行うアナウンス装置３が設置されている。４は機械室に設置されたエレベータ制御盤であり、かご内操作盤２及びアナウンス装置３と配線５を介して接続されている。
【００１２】
図２に示すように、かご内操作盤２は、行先階登録ボタン６、乗りかご１のドアを開閉するドア開閉ボタン７、８、液晶パネル等から成る表示装置９を具備している。
【００１３】
このかご内操作盤２で所定の操作入力を行うことにより、アナウンス装置３のアナウンスの音量を調節するための信号が制御装置としてのエレベータ制御盤４に送信される。エレベータ制御盤４は、この信号を受信すると、音量を所定のレベルに設定する命令信号をアナウンス装置３に送信する。この信号を受信したアナウンス装置３は、この命令信号に従って音量を加減する。
【００１４】
このように、本発明では、かご内操作盤２の操作入力によりアナウンス装置３の音量を調節することができる。
【００１５】
かご内操作盤２の操作方法としては、例えば、行先階登録ボタン６のうちの幾つかが同時に所定時間押圧されることで、エレベータ制御盤４が、アナウンス装置３の音量調節操作であることを認識し、その後、かご内操作盤２のドア開閉ボタン７、８が押圧されることで音量の加減が行われるようにすることができる。
【００１６】
例えば、ドア開ボタン７が押されると音量が上がり、ドア閉ボタン８が押されると音量が下がるようにする。このように、行先階登録やドア開閉等の操作入力を行うための乗りかご操作用ボタンが音量調節ボタンを兼ねるようにすることで、音量調節用の専用ボタンが不要になるため、製造コストを低減することができるという利点が有る。
【００１７】
そして、この音量の加減状態を表示装置９に表示させることで、かご内操作盤２の操作を行う者がアナウンス装置３の音量状態を視認できるようにすれば、音量調節を容易に行うことができる。
【００１８】
また、かご内操作盤２の操作により調節できる対象が、アナウンス装置３の音量以外に、乗りかご１内の照明装置の輝度、空調装置の空調温度、アナウンス装置３のアナウンス内容等であってもよく、押圧される行先階登録ボタン６の組み合わせや押圧時間の差等により、いずれの機器を調節するかをエレベータ制御盤４が区別できるようにすればよい。
【００１９】
このようにすると、アナウンス装置３、照明装置、空調装置等の調節を、エレベータの保守点検を行う作業員等の限定された人だけでなく、例えばビル管理人や乗客等であっても容易に行うことができる。
【００２０】
また、かご内操作盤の操作入力によって、アナウンス装置の音量、照明装置の輝度、空調装置の空調温度等の調節を行うことができるようにすることにより、これらの調節が必要とされた状態で調節を行うことができるため、適切な調節が可能となり、何度も調節する必要がなくなるため、調節に要する手間を低減することができる。
【００２１】
なお、本発明は上記実施形態に限定されるものではなく、本発明の要旨を逸脱しない範囲で上記実施形態に種々の改変を施すことができる。
【図面の簡単な説明】
【００２２】
【図１】本発明の一実施形態であるエレベータの概略構成図。
【図２】かご内操作盤の拡大正面図。
【符号の説明】
【００２３】
１  乗りかご
２  かご室操作盤
３  アナウンス装置
４  エレベータ制御盤（制御装置）
６  行先階登録ボタン（乗りかご操作用ボタン）
７  ドア開ボタン（乗りかご操作用ボタン）
８  ドア閉ボタン（乗りかご操作用ボタン）
【図１】
2005255402.tif 000003
【図２】
2005255402.tif 000004